(57)【要約】【課題】少なくとも背面が金属製若しくは樹脂製である遊技機本体を備えるものでありながら、遊技メダル等の遊技用媒体を補給する遊技用媒体補給機のノズル部を背面に簡便に固定し得るように構成した遊技機を提供する。【解決手段】雀球遊技機では、メダル補給部８５をネジ止め支持させる固定プレート部８８を係合させるスライド案内部材３２，３３と、該固定プレート部８８の該スライド案内部材３２，３３からの抜けを規制する規制部３４，３５と、を有した保持部４５を備えることにより、メダル補給部８５を遊技機本体の背面２６に保持するように構成した。これにより、遊技機本体の少なくとも背面２６が金属製若しくは樹脂製であっても、自動補給機のメダル補給部８５を簡便に固定することができる。【選択図】図４
2008301868.tif 000002
【特許請求の範囲】
【請求項１】
遊技用媒体を貯留する貯留装置を、少なくとも背面が金属性若しくは樹脂製の遊技機本体内に備え、該遊技機本体外部に位置する遊技用媒体補給機から該貯留装置に遊技用媒体が補給されてなる遊技機において、
前記遊技用媒体補給機に設けられ、該遊技用媒体補給機からの遊技用媒体を前記貯留装置に補給する補給部材の先端部を、前記遊技機本体背面から挿入する開口部と、
前記遊技機本体の前記背面に、前記補給部材を保持する保持部材と、を備え、
前記保持部材は、
前記補給部材に一体に設けられ該補給部材をネジ止め支持させる支持部材を、前記開口部に該補給部材の先端部を挿入させつつ係合させるスライド案内部材と、
前記スライド案内部材の案内方向下流側に配置され、係合された前記支持部材の該スライド案内部材からの抜けを規制する下流側規制部材と、を有することにより、前記補給部材の先端部を前記開口部に挿入した状態で保持してなる、
ことを特徴とする遊技機。
【請求項２】
前記スライド案内部材は、その案内方向が前記遊技機本体の前記背面に平行となるように配置されてなる、
請求項１記載の遊技機。
【請求項３】
前記保持部材は、前記スライド案内部材の案内方向上流側への抜けを規制する上流側規制部材を有し、
前記上流側規制部材は、
前記支持部材が前記スライド案内部材に係合されて前記下流側規制部材に規制されるまでの過程で該支持部材に接触して突出状態から弾性変形して非突出状態となり、該支持部材が該下流側規制部材に規制された時点で前記突出状態に復元して該支持部材を係止してなる、
請求項１又は２記載の遊技機。
【発明の詳細な説明】
【技術分野】
【０００１】
本発明は、雀球遊技機やスロットマシン等の遊技機に係り、特に、筐体内に備えた貯留装置に遊技用媒体補給機から遊技用媒体を補給するように構成した遊技機に関する。
【背景技術】
【０００２】
従来、遊技用媒体として遊技メダルを用いて遊技する遊技機には、雀球遊技機やスロットマシン（回胴式遊技機）等が知られている。雀球遊技機には、各種遊技部品が配置された遊技盤の下部に、麻雀牌の図柄を付した所定数の入球口を備え、メダル投入口に遊技メダル（以下、単に「メダル」とも言う）が投入されると、麻雀牌の図柄を画像表示装置に適宜の組合せで自動的に表示する自動配牌機能を備えたものがある（特許文献１参照）。この雀球遊技機では、画像表示装置に表示される手牌のうちから不要な牌（不要牌）が切り捨てられた際、１個の遊技球を再度打ち出しし得る状態となり、これら切り捨て操作（捨て牌操作）及び再打ち出し操作が所定回数以内にて繰り返し行われ、所定の上がり役が完成した時点で得点が計算され、その得点に応じた数の遊技メダルが払い出される。
【０００３】
また、スロットマシンは、複数種の絵柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出されるように構成されている（特許文献２参照）。該スロットマシンでは、主基板に装着されたＲＯＭの抽選機能により役抽選を行い、該対応役の結果に応じて回胴リールを停止制御させてシンボルマークを揃える際等に視覚的な演出を行っている。
【０００４】
一般に、雀球遊技機やスロットマシンのように遊技メダルを用いる遊技機は、投入された遊技メダルを貯留するホッパユニットと、該ホッパユニット内の貯留メダルのうち所定量を超えて溢れ出た遊技メダルを受容する受容箱と、を備えている。このような遊技機が、ホッパユニットから溢れた遊技メダルを自動的に回収する回収装置と、ホッパユニット内の遊技メダルが不足したとき自動的に遊技メダルを補給する自動補給機とを備えた遊技場に設置される場合には、該自動補給機のノズル部が、筐体背面に形成された開口部から挿入された状態で該背面に固定される。
【０００５】
【特許文献１】特開２００７−０９７７８３号公報
【特許文献２】特開２００３−２７５３７２号公報
【発明の開示】
【発明が解決しようとする課題】
【０００６】
ところで、特許文献１及び２に記載されるような遊技機には、遊技機本体が木製のものとそれ以外（金属製や樹脂製等）のものとが存在する。木製の場合、加工面では利点が多いものの、遊技島設備に設置したり取り外したりする際に、釘等の打ち込みによって破損するような場合があって再利用には不向きな面がある。これに対し、金属製や樹脂製等の場合には、木製の場合のような破損は生じにくく、元の状態を長く維持できるため、再利用には有利であるものの、上述した自動補給機のノズル部を背面に固定しようとした場合には、次のような不都合な面がある。
【０００７】
つまり、自動補給機のノズル部を背面に固定する固定手段は、基本的には木製の遊技機本体に固定する木ネジを用いることが慣例となっており、金属製や樹脂製等の遊技機本体背面に該木ネジを用いてノズル部を固定することは非常に困難であることから、他の簡便に取り付け得る構造が切望される。
【０００８】
そこで本発明は、少なくとも背面が金属製若しくは樹脂製である遊技機本体を備えるものでありながら、遊技メダル等の遊技用媒体を補給する遊技用媒体補給機のノズル部を背面に簡便に固定し得るように構成し、もって上述した課題を解決した遊技機を提供することを目的とするものである。
【課題を解決するための手段】
【０００９】
請求項１に係る本発明は（例えば図１ないし図８参照）、遊技用媒体（Ｍ）を貯留する貯留装置（５７）を、少なくとも背面（２６）が金属性若しくは樹脂製の遊技機本体（１ａ，６１ａ）内に備え、該遊技機本体（１ａ，６１ａ）外部に位置する遊技用媒体補給機から該貯留装置（５７）に遊技用媒体（Ｍ）が補給されてなる遊技機（１，６１）において、
前記遊技用媒体補給機に設けられ、該遊技用媒体補給機からの遊技用媒体（Ｍ）を前記貯留装置（５７）に補給する補給部材（８５）の先端部（８６，８７）を、前記遊技機本体（１ａ，６１ａ）背面から挿入する開口部（２７）と、
前記遊技機本体（１ａ，６１ａ）の前記背面（２６）に、前記補給部材（８５）を保持する保持部材（４５）と、を備え、
前記保持部材（４５）は、
前記補給部材（８５）に一体に設けられ該補給部材（８５）をネジ止め支持させる支持部材（８８）を、前記開口部（２７）に該補給部材（８５）の先端部（８６，８７）を挿入させつつ係合させるスライド案内部材（３２，３３）と、
前記スライド案内部材（３２，３３）の案内方向（Ｙ）下流側に配置され、係合された前記支持部材（８８）の該スライド案内部材（３２，３３）からの抜けを規制する下流側規制部材（３４，３５）と、を有することにより、前記補給部材（８５）の先端部（８６，８７）を前記開口部（２７）に挿入した状態で保持してなる、
ことを特徴とする遊技機（１，６１）にある。
【００１０】
請求項２に係る本発明は（例えば図４及び図７参照）、前記スライド案内部材（３２，３３）は、その案内方向（Ｙ）が前記遊技機本体（１ａ，６１ａ）の前記背面（２６）に平行となるように配置されてなる、
請求項１記載の遊技機（１，６１）にある。
【００１１】
請求項３に係る本発明は（例えば図４ないし図７参照）、前記保持部材（４５）は、前記スライド案内部材（３２，３３）の案内方向（Ｙ）上流側への抜けを規制する上流側規制部材（９１）を有し、
前記上流側規制部材（９１）は、
前記支持部材（８８）が前記スライド案内部材（３２，３３）に係合されて前記下流側規制部材（３４，３５）に規制されるまでの過程で該支持部材（８８）に接触して突出状態から弾性変形して非突出状態となり、該支持部材（８８）が該下流側規制部材（３４，３５）に規制された時点で前記突出状態に復元して該支持部材（８８）を係止してなる、
請求項１又は２記載の遊技機（１，６１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、補給部材をネジ止め支持させる支持部材を係合させるスライド案内部材と、該支持部材の該スライド案内部材からの抜けを規制する下流側規制部材と、を有した保持部材を備えることにより、補給部材を遊技機本体の背面に保持するように構成した。これにより、遊技機本体の少なくとも背面が金属性若しくは樹脂製であっても、遊技用媒体補給機の補給部材を簡便に固定することができる。また、該補給部材は、遊技機本体が従来の木製の場合には、補給部材に設けられた支持部材が遊技機本体にネジ止めされることによって支持されていたが、本発明にあっては、支持部材をネジ止めせずに金属性若しくは樹脂製の遊技機本体への取り付け及び取り外しを容易に行うことができる。
【００１４】
請求項２に係る本発明によると、スライド案内部材が、その案内方向が遊技機本体の背面に平行となるように配置されてなるので、補給部材と一体に設けられた支持部材を遊技機本体の背面に平行に移動させるようなシンプルな取り付け動作をすることにより、補給部材を保持部材に取り付ける際の操作をワンタッチ化して、より簡略にすることができる。
【００１５】
請求項３に係る本発明によると、保持部材が、スライド案内部材の案内方向上流側への抜けを規制する上流側規制部材を有し、上流側規制部材が、支持部材がスライド案内部材に係合されて下流側規制部材に規制されるまでの過程で該支持部材に接触して突出状態から弾性変形して非突出状態となり、該支持部材が該下流側規制部材に規制された時点で突出状態に復元して保持部材を係止するように構成した。これにより、スライド案内部材に係合させた支持部材の案内方向上流側への抜けを上流側規制部材で規制するので、保持部材に保持させた補給部材が誤ってスライド案内部材から抜け落ちるような事故の発生を防止することができ、補給部材を安定して保持することができる。
【発明を実施するための最良の形態】
【００１６】
以下、本発明に係る遊技機の実施形態として、遊技場等に設置される雀球遊技機を図面に沿って説明する。なお、図１は本実施形態における雀球遊技機を示す斜視図、図２は図１における遊技盤面部を抜粋して示す斜視図、図３は雀球遊技機の前扉全体を開放して内部構造を示す正面図である。
【００１７】
本実施形態では、２７種の牌の図柄を各４個、計１０８個の牌を使用して遊技を行う雀球遊技機（遊技機）１を例に挙げて説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。なお、上記した２種の数牌は、萬子、筒子、及び索子のうちのいずれの２種であってもよく、例えば、萬子と索子とで数牌を形成した場合には、筒子の「一筒」と「九筒」とを字牌とするように選定した雀球遊技機を構成してもよい。
【００１８】
図１は、本実施形態における雀球遊技機１の全体を示す斜視図である。同図に示すように、本雀球遊技機１は、全体が板金からなる金属性の筐体１ｃと、該筐体１ｃに対して開閉可能に支持された前扉１ｂと、を備えている。これら筐体１ｃ及び前扉１ｂにより遊技機本体１ａが構成されている。前扉１ｂの前面部には、操作パネル３、該操作パネル３の下方に設けられた遊技球発射レバー４、メダル受け皿５、音声や効果音（以下、一括して音声という）を出力する音声出力装置であるスピーカー６、ランプ装置７等が配置されている。前扉１ｂには透明ガラス４１が取り付けられ、前扉１ｂの閉止時には該透明ガラス４１が遊技盤２と対向するように位置する。そして、前扉１ｂの透明ガラス４１を通した奥側で遊技盤２の前面には、図２に示す遊技エリアを形成する遊技盤面部２ａが配置されている。なお、符号１７は、不図示の発射装置によって打ち出された遊技球を遊技盤面部２ａ側に案内するガイドレールを示している。
【００１９】
本実施形態では、筐体１ｃは全体が板金（金属製）で構成される例を挙げて説明するが、本発明は、これに限らず、背面２６（図４参照）以外は樹脂製や木製のもの、つまり背面２６のみが金属製の筐体１ｃを備えた雀球遊技機にも適用でき、また、全体が樹脂製の筐体１ｃを備えた雀球遊技機や、背面２６のみが樹脂製の筐体１ｃを備えた雀球遊技機にも適用できる。すなわち、少なくとも背面２６が金属製若しくは樹脂製からなる遊技機本体１ａを備える雀球遊技機や、後述するスロットマシン（遊技機）６１においても少なくとも背面が金属製若しくは樹脂製からなる遊技機本体６１ａを備えたものであれば、本発明を適用することができる。
【００２０】
上記操作パネル３には、液晶表示装置等からなる画像表示部１４、メダル投入口１５、及び各種の操作ボタンが設けられている。この各種の操作ボタンとして、１３個のボタンが横方向に並設された捨て牌ボタン１６…、自摸牌捨てボタン８、リーチボタン１８、牌選択右シフトボタン１９、牌選択左シフトボタン２０、自摸牌決定ボタン２１、払い出しボタン２２、遊技終了ボタン２３、遊技開始ボタン２４、及びリジェクト（ＲＥＪＥＣＴ）ボタン２５が配置されている。
【００２１】
図２に示すように、遊技盤面部２ａの略中央部には、液晶パネル等の画像表示装置３８を開口部１３から露出した状態のセンター飾り１２が配置されている。センター飾り１２は、開口部１３の上部に演出装置４０を有し、開口部１３の下部に遊技球の進路を振り分けるステージＳを有している。センター飾り１２の右方には、遊技球が通過可能なアタッカー作動通過口１０が配置され、該アタッカー作動通過口１０の直下方にはアタッカー９が配置されている。
【００２２】
センター飾り１２の上方には表示部３７が配置され、センター飾り１２の左右下方には入球口１１ａ，１１ｂが配置され、センター飾り１２の下方には入球口１１ｃ，１１ｄ，１１ｅ，…が配置されている。また、センター飾り１２の下方で且つ上記入球口１１ｃ〜１１ｅ，…の直ぐ上方には、各入球口の入球幅を規制するための多数の障害釘（図示せず）が打ち込まれている。なお、遊技盤面部２ａには、風車（図示せず）や上記とは別の障害釘（図示せず）が設けられている。
【００２３】
センター飾り１２におけるステージＳの下方には、複数個（本実施形態では２５個）の入球口１１ｃ〜１１ｅ，…を有した入球ユニット５３が配置されている。これら入球口１１ｃ〜１１ｅ，…は、索子牌を除いた牌の図柄２５種（図柄は図示せず）に対応して２５個が設けられている。入球口１１ａ，１１ｂにはそれぞれ「一索」と「九索」が表示されており、また入球口１１ｃには「一萬」、入球口１１ｄには「二萬」、入球口１１ｅには「三萬」というように、所要の麻雀牌図柄が順次表示されている。なお、符号５３ａは、入球ユニット５３の前カバーを示している。
【００２４】
また、遊技機本体１ａの内部には、図３に示すように、前扉１ｂ全体を開放した状態において、電源基板５５、主制御基板５６、ホッパユニット（貯留装置）５７、メダル払出し装置４８、及び受容箱５８が上部から下部に向かって配設されている。図３の正面視における、遊技球を遊技盤面部２ａに打ち出す発射装置５１の右上方には、循環ユニット７３が装着されている。筐体１ｃの背面におけるホッパユニット５７のやや上方には開口部２７が表裏貫通して形成されている。この開口部２７から、メダル補給部（補給部材）８５（例えば図５参照）のノズル８７が挿入されてホッパユニット５７の上部に位置している。つまり、本実施の形態の雀球遊技機１は、遊技機本体１ａ外部の不図示の自動補給機（遊技用媒体補給機）からメダル補給部８５を介してホッパユニット５７に遊技メダル（遊技用媒体）Ｍが補給されるように構成される。なお、符号５７ａは、隣接する受容箱５８に遊技メダルＭを排出するための排出口を示し、符号７１は打撃レバーを示している。
【００２５】
次いで、図４ないし図７を参照して、自動補給機のメダル補給部８５を遊技機本体１ａの背面２６（つまり、筐体１ｃの背面２６）に保持する構造について説明する。なお、図４は当該保持構造におけるメダル補給部８５の保持される前の状態を示す斜視図、図５は図４のメダル補給部８５をＡ−Ａ線に沿って断面した状態で示す側面断面図、図６は本実施形態における規制部９１を示し、（ａ）は規制部９１の平面図、（ｂ）は規制部９１の正面図、（ｃ）は規制部９１の側面図、図７は、メダル補給部８５の筐体１ｃにおける背面２６への固定後の状態を示す斜視図である。なお、上記図４及び図７においては、メダル補給部８５のホース８９の図示を便宜上省略している。
【００２６】
メダル補給部８５は、一般に木製の筐体に対して木ネジで固定される固定プレート部（支持部材）８８と、該固定プレート部８８の下部に左右に突出するブラケット８６ｂをビス止めされた矩形筒状部（先端部）８６と、上記矩形筒状部８６の下部に連結されて該矩形筒状部８６に連通するノズル（先端部）８７と、から構成される。矩形筒状部８６は、上方に開口するメダル取入れ部８６ａに、自動補給機から延びる蛇腹状のホース８９（蛇腹状の形状については図示を省略）が連結される。なお、上記固定プレート部８８がネジ止めされる際には、その左右に突出したブラケット８８ｂが木ネジにて固定される。そして、メダル補給部８５は、図５に示すように、固定プレート部８８から斜め下方にノズル８７が突出するため、該ノズル８７が開口部２７に挿入された際に、遊技機本体１ａ内のホッパユニット５７の上部に位置できるようになる。このため、該自動補給機から所定の契機（例えば、ホッパユニット５７内の遊技メダルＭが不足した時点）で遊技メダルＭが放出されると、それら遊技メダルＭが、ホース８９、矩形筒状部８６及びノズル８７を介して、遊技機本体１ａ内のホッパユニット５７に補給される。
【００２７】
また、遊技機本体１ａの背面２６には、メダル補給部８５の先端部であるノズル８７を挿入する略々矩形状の開口部２７と、メダル補給部８５を保持する保持部（保持部材）４５とが設けられており、該保持部４５は、スライド案内部材３２，３３と、規制部（下流側規制部材）３４，３５と、規制部（上流側規制部材）９１とから構成されている。
【００２８】
スライド案内部材３２，３３は、それぞれ横側断面くの字状の板部材からなり、それぞれ遊技機本体１ａの背面２６から突出した状態で左右方向で対向するように配設されている。規制部３４，３５は、それぞれスライド案内部材３２，３３の下方で且つ遊技機本体１ａの背面２６から突出した状態に配設され、スライド案内部材３２，３３の案内方向上流側から係合した固定プレート部８８の案内方向下流側への抜けを規制する折曲した爪状の部材である。
【００２９】
規制部９１は、全体に略々矩形の板部材からなり、その胴部の左右側部からはブラケット状に延びた支持部９１ａが形成され、胴部の上下方向中心位置から下部には、無負荷時に遊技機本体１ａの背面２６から前方に向う突出状態となり、加負荷時に該背面２６に向って非突出状態となるように弾性変形する板バネ９２が形成されている。規制部９１は、支持部９１ａに形成されたネジ孔９１ｂがネジ止めされることによって背面２６に配設される。
【００３０】
そして、前述したメダル補給部８５を、遊技機本体１ａの背面２６に図４の矢印Ｘに示すように接近させて、開口部２７にノズル８７を挿入しつつ、固定プレート部８８の左右端部をスライド案内部材３２，３３に位置合せしながら背面２６に当接させる。このとき、固定プレート部８８は、規制部９１に接触するので、規制部９１は突出状態から弾性変形して非突出状態となる。
【００３１】
続いて、固定プレート部８８が背面２６に当接した上記状態から、メダル補給部８５を図４の矢印（案内方向）Ｙに示す向きに移動させる。すると、固定プレート部８８は、図７に示すように、スライド案内部材３２，３３に係合されつつ、規制部３４，３５に抜けが規制された状態となる。また、このとき、固定プレート部８８は、規制部９１から離隔するので、規制部９１が非突出状態から突出状態へと復元し、固定プレート部８８の抜けが規制される。
【００３２】
上述した一連の取り付け処理により、固定プレート部８８は、規制部３４，３５によってスライド案内部材３２，３３からの抜けが規制されるとともに、規制部９１によってスライド案内部材３２，３３における案内方向上流側への抜けが規制されるものとなる。従って、固定プレート部８８が、保持部４５に確実に係止されるとともに、メダル補給部８５が、開口部２７にノズル８７が挿入された状態で遊技機本体１ａの背面２６に適正に保持されるものとなる。なお、係止した固定プレート部８８を保持部４５から取り外す場合には、手指、もしくはドライバー等の工具を使用して規制部９１を押圧し、非突出状態にして処理することになる。
【００３３】
続いて、上述した雀球遊技機１の遊技手順とこの手順に伴う各処理の概要について説明する。すなわち、１ゲームは、遊技者がメダル投入口１５へメダルを投入して、遊技開始ボタン２４を押圧し、１４個の手牌が画像表示部１４上に配牌表示されることによりスタートする。そして、遊技者が捨て牌ボタン１６…、等の各種の操作ボタンを操作し、該操作に基づいて各種センサから発生される入力信号及び制御信号に基づき、１ゲームが進行していくことになる。
【００３４】
つまり、遊技者がメダル投入口１５にメダルを投入し、遊技開始ボタン２４を押圧すると、１ゲームの遊技が開始できる状態になり、引き続き、ゲームを開始するために必要な１４個の配牌の図柄が自動的に決められ、画像表示部１４の手牌表示部（図示せず）と自摸牌表示部（図示せず）に表示される。更に、表ドラ及び裏ドラの牌の図柄の画像が、画像表示部１４の不図示の表ドラ表示部と裏ドラ表示部に表示され、ビッグ役及びチャンス役がビッグゲーム上がり役表示部（図示せず）と、チャンスゲーム上がり役表示部（図示せず）とにそれぞれ表示される。そして、遊技の開始条件が整ったことが画面表示又は音声で遊技者に報知される。
【００３５】
この状態において、遊技者は、手牌表示部と自摸牌表示部に表示されている牌の図柄から、捨て牌を選択する操作を行う。遊技者は、捨てる牌の図柄を決定すると、この捨て牌の図柄に対応する捨て牌ボタン１６…、或いは自摸牌捨てボタン８のいずれか１つを選択（オン）してこの牌を捨てる。すると、遊技球が遊技球発射位置に１球送られ、遊技球発射レバー４の操作で遊技盤面２内に遊技球を発射できる状態になる。
【００３６】
遊技者が遊技球を発射し、この遊技球が入球口１１ａ，１１ｂ，１１ｃ，…の何れかに入球すると、該入球に対応する牌（自摸牌）の図柄が不図示の自摸牌表示部に表示される。この牌を自摸ったことで和了しない場合、遊技者は、１４個の手牌の中から不要と思われる１個の牌を捨てる捨て牌操作を行う。そして、遊技者は、このような操作を順次実行していき、所望の上がり役が聴牌（テンパイ）したと判断した時点で、リーチボタン１８を操作してリーチをかけ、或いはリーチをかけずに、１ゲーム中で発射可能な遊技球数が尽きるまで上がり牌を自摸る操作を続ける。
【００３７】
以上のように本実施の形態では、雀球遊技機１が、固定プレート部８８を係合させるスライド案内部材３２，３３と、該固定プレート部８８の該スライド案内部材３２，３３からの抜けを規制する規制部３４，３５と、を有した保持部４５を備えることにより、メダル補給部８５を、開口部２７に矩形筒状部８６及びノズル８７を挿入した状態で遊技機本体１ａの背面２６に保持するように構成した。これにより、遊技機本体１ａの少なくとも背面２６が板金であっても、自動補給機のメダル補給部８５を簡便に固定することができるようになる。また、メダル補給部８５は、遊技機本体が従来の木製の場合には、メダル補給部８５と一体に設けられた固定プレート部８８が遊技機本体にネジ止めされることによって支持されていたが、本雀球遊技機１にあっては、固定プレート部８８をネジ止めせずとも、板金からなる金属製の遊技機本体１ａへの取り付け及び取り外しを容易に行うことができるものとなる。
【００３８】
また、スライド案内部材３２，３３が、その案内方向が遊技機本体１ａの背面に平行（例えば図４の矢印Ｙの方向）となるように配置されてなるので、メダル補給部８５と一体に設けられた固定プレート部８８を遊技機本体１ａの背面と平行に移動させるようなシンプルな取り付け動作をすることにより、メダル補給部８５を保持部４５に取り付ける際の操作をワンタッチ化して、より簡略にすることができるようになる。
【００３９】
また、保持部４５が、スライド案内部材３２，３３の案内方向（図４の矢印Ｙ）上流側への抜けを規制する規制部９１を有し、規制部９１が、固定プレート部８８がスライド案内部材３２，３３に係合されて規制部３４，３５に規制されるまでの過程で該固定プレート部８８に接触して突出状態から弾性変形して非突出状態となり、該固定プレート部８８が該規制部３４，３５に規制された時点で突出状態に復元して固定プレート部８８を係止する。これにより、スライド案内部材３２，３３に係合させた固定プレート部８８の案内方向上流側への抜けを規制部９１で規制するので、保持部４５に保持させたメダル補給部８５が誤ってスライド案内部材３２，３３から抜け落ちるような事故の発生を防止することができ、メダル補給部８５を安定して保持することができるようになる。
【００４０】
なお、本発明は、上述した雀球遊技機１に限らず、図８に示すようなスロットマシン（回胴遊技機）６１や、アレンジボール遊技機に適用されてもよい。同図は、スロットマシン６１の外部構造を概略的に示す斜視図である。なお、前述した雀球遊技機１と同一符号のものや両者に共通利用可能なもの等については、雀球遊技機１での説明を援用してその説明を省略する。
【００４１】
スロットマシン６１は、図８に示すように、全体が板金からなる金属性の筐体６２と、筐体６２の一側部に開閉自在に取り付けられて遊技者に面する前扉６３とを備えている。これら筐体６２と前扉６３とによって遊技機本体６１ａが構成される。
【００４２】
前扉６３は、図８の上下方向における略中央部分に操作パネル６４を有し、操作パネル６４の上方及び下方に、液晶表示パネル６６及びメダル受け皿６７をそれぞれ有している。このメダル受け皿６７内には、入賞時にメダル払出し口６５から遊技メダルが払い出される。また、液晶表示パネル６６の上方には、クレジット枚数、ベット（ＢＥＴ）枚数、及び払い出し状況等を表示するための遊技状態表示部６８が設けられている。操作パネル６４には、上面にベットボタン６９及びメダル投入部７０が配置され、前面にスタートレバー７２及び３個のストップボタン７４が配置されている。なお、同図において、液晶表示パネル６６内方に見えるはずの回胴リール等は、便宜上図示を省略している。
【００４３】
筐体６２の内方には、中央部分に回胴リール装置（図示せず）が設けられ、最下部に図３で説明したものと同様のホッパユニット（図示せず）が配置されている。このホッパユニットは、入賞時にメダル払出し口６５から払い出すための多数の遊技メダルを収容する。更に、ホッパユニットの側方に隣接するように、該ホッパユニットから溢れ出た遊技メダルを収容し得る受容箱（図示せず）が配置されている。
【００４４】
このようなスロットマシン６１によっても、先の実施形態と同様の作用効果を奏することができる。
【００４５】
以上、本発明をその好適な実施形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００４６】
【図１】本発明の実施形態における雀球遊技機の外部構造を示す斜視図である。
【図２】図１における遊技盤面部を抜粋して示す斜視図である。
【図３】雀球遊技機の前扉全体を開放して内部構造を示す正面図である。
【図４】保持構造における補給部材の保持される前の状態を示す斜視図である。
【図５】図４の補給部材をＡ−Ａ線に沿って断面した状態で示す側面断面図である。
【図６】本実施形態における規制部を示し、（ａ）は規制部の平面図、（ｂ）は規制部の正面図、（ｃ）は規制部の側面図である。
【図７】補給部材の筐体における背面への固定後の状態を示す斜視図である。
【図８】スロットマシンの外部構造を概略的に示す斜視図である。
【符号の説明】
【００４７】
１，６１    遊技機（雀球遊技機、スロットマシン）
１ａ，６１ａ    遊技機本体
２６    背面
２７    開口部
３２    スライド案内部材
３３    スライド案内部材
３４    下流側規制部材（規制部）
３５    下流側規制部材（規制部）
４５    保持部材（保持部）
５７    貯留装置（ホッパユニット）
８５    補給部材（メダル補給部）
８６    先端部（矩形筒状部）
８７    先端部（ノズル）
８８    支持部材（固定プレート部）
９１    上流側規制部材（規制部）
Ｍ    遊技用媒体（遊技メダル）
Ｙ    案内方向（矢印）
【図１】
2008301868.tif 000003
【図２】
2008301868.tif 000004
【図３】
2008301868.tif 000005
【図４】
2008301868.tif 000006
【図５】
2008301868.tif 000007
【図６】
2008301868.tif 000008
【図７】
2008301868.tif 000009
【図８】
2008301868.tif 000010